(57)【特許請求の範囲】
【請求項１】
外側シートと白層と内側シートとを含み、座標位置コード情報を有するドットパターンが視覚困難かつ光学読み取り可能に外側シートに印刷されてなり、前記ドットパターンがキードット、情報ドット及び格子ドットから構成され、前記白層が前記ドットパターンの印刷面上に設けられ、前記内側シートが前記白層上に設けられてなる、ドットパターン印刷シートと、
前記ドットパターン印刷シートに押し当てて前記座標位置コード情報を光学的に読み取るための光学的読み取り手段と、
前記光学的読み取り手段によって読み取られた前記座標位置コード情報をサーバー装置へと転送するための情報転送手段と、
前記座標位置コード情報に応じて、予め関連付けられて蓄積されている関連付けマルチメディア情報を出力する前記サーバー装置と、
前記サーバー装置からの前記マルチメディア情報を表示するための情報表示手段と、
を含み、
前記ドットパターンが前記外側シートの裏面にグラビア印刷により印刷され、前記ドットパターンが前記外側シートの表面側から前記光学的読み取り手段で前記外側シートを介して読み取られるように、ドットパターンの座標系が前記外側シートの表面側から見た座標系に対して反転して印刷されてなり、前記グラビア印刷に用いられるグラビア版が、レーザー製版法により作製されてなり、
前記外側シートが、透明かつフレキシブルなシートであることを特徴とする情報表示システム。
【請求項２】
前記ドットパターン印刷シートが食品を包装するための食品包装フィルムであり、前記内側シートが前記食品包装フィルムに適用され、食品の産地情報を前記サーバー装置に予め関連付けて蓄積することにより、食品の産地情報が前記情報表示手段で表示されるようにしたことを特徴とする請求項１記載の情報表示システム。
【請求項３】
請求項１又は２記載の情報表示システムに用いられるドットパターン印刷シートであって、前記ドットパターン印刷シートが、
外側シートと、
白層表面と白層裏面とを含む白層と、
内側シートと、
前記外側シートに視覚困難かつ光学読み取り可能に印刷された座標位置コード情報を有す
るドットパターンと、
を含み、
前記ドットパターンがキードット、情報ドット及び格子ドットから構成され、
前記白層表面が前記ドットパターンに係わり、前記内側シートが前記白層裏面に係わり、
前記ドットパターンが前記外側シートの裏面にグラビア印刷により印刷され、前記グラビア印刷に用いられるグラビア版が、レーザー製版法により作製されてなり、
前記外側シートが、透明かつフレキシブルなシートであり、前記ドットパターンが前記外側シートの表面側から前記光学的読み取り手段で前記外側シートを介して読み取られるように、ドットパターンの座標系が前記外側シートの表面側から見た座標系に対して反転して印刷されてなることを特徴とするドットパターン印刷シート。
【発明の詳細な説明】
【技術分野】
【０００１】
本発明は、動画などのマルチメディア情報に係る情報データを光学的に読み取り可能なドットパターンで印刷してなる情報表示システム及びそれに用いられるドットパターン印刷シートに関する。
【背景技術】
【０００２】
従来、情報データを含む光学的に読み取り可能なコードを印刷し、これを光学的に読み取ることで、情報を表示させたりすることがよく行われている。【０００３】
これら光学的に読み取り可能なコードの種類として、商品の値札につけておき、精算時に赤外線スキャナーで値段などの情報を読み取る一次元コード（バーコード）を用いた情報表示システムがある。【０００４】
また、特定のＵＲＬ（Uniform Resource Locator）情報を含むマトリックス型の二次元コードを印刷しておき、コード読み取り機能のある携帯電話のカメラなどで読み取り、インターネットを通じてリンク先のＵＲＬへと誘導する情報表示システムもある。【０００５】
さらに、種々のマルチメディア情報を認識させるためにドットコード生成アルゴリズムにより生成されたドットを所定の規則に則って配列したドットパターン部が形成された印刷物等の媒体を読取り手段で画像データとして読み取り、該画像データをコードデータ化し、該コードデータに対応したマルチメディア情報を記憶手段から読み出して再生するようにした、媒体上に形成されたアイコン（特許文献１、要約書）も提案されている。
【先行技術文献】
【特許文献】
【０００６】
【特許文献１】特開２００６−１９０２７０号公報
【特許文献２】特許４０８８９３６号公報
【特許文献３】特許３７０６３８５号公報
【特許文献４】特許４００８９５２号公報
【発明の概要】
【発明が解決しようとする課題】
【０００７】
本願発明者は、鋭意検討を重ねた結果、グラビア印刷により外側シートの裏側に高精細なドットパターンを表面側とは反転して印刷し、表面側から該ドットパターンを読み取ることで、印刷面のドットパターンが劣化することを防ぐことができることを見出し、本発明を完成させた。【０００８】
本発明は、ドットパターンを読み取るだけで簡単に情報を表示させることができ、情報のアップデートが簡単であり、かつ耐久性及び耐摩耗性に優れ印刷面のドットパターンが劣化し難い情報表示システム及びそれに用いられるドットパターン印刷シートを提供することを目的とする。
【課題を解決するための手段】
【０００９】
上記課題を解決するため、本発明の情報表示システムは、外側シートと白層と内側シートとを含み、座標位置コード情報を有するドットパターンが視覚困難かつ光学読み取り可能に外側シートに印刷されてなり、前記ドットパターンがキードット、情報ドット及び格子ドットから構成され、前記白層が前記ドットパターンの印刷面上に設けられ、前記内側シートが前記白層上に設けられてなる、ドットパターン印刷シートと、前記ドットパターン印刷シートに押し当てて前記座標位置コード情報を光学的に読み取るための光学的読み取り手段と、前記光学的読み取り手段によって読み取られた前記座標位置コード情報をサーバー装置へと転送するための情報転送手段と、前記座標位置コード情報に応じて、予め関連付けられて蓄積されている関連付けマルチメディア情報を出力する前記サーバー装置と、前記サーバー装置からの前記マルチメディア情報を表示するための情報表示手段と、を含み、前記ドットパターンが前記外側シートの裏面にグラビア印刷により印刷され、前記ドットパターンが前記外側シートの表面側から前記光学的読み取り手段で前記外側シートを介して読み取られるように、ドットパターンの座標系が前記外側シートの表面側から見た座標系に対して反転して印刷されてなり、前記グラビア印刷に用いられるグラビア版が、レーザー製版法により作製されてなり、前記外側シートが、透明かつフレキシブルなシートであることを特徴とする。
【００１０】
前記外側シートとしては、透明シートが好ましい。また、薄いプラスチックフィルムのようなフレキシブルなシートが好ましく、透明かつフレキシブルなシートが特に好ましい。【００１１】
座標位置コード情報を有するドットパターンを視覚困難かつ光学読み取り可能に印刷するには、特許文献３に記載されたドットパターンを用いればよい。また、赤外線又は紫外線のみを吸収する赤外線又は紫外線吸収インクを用いてドットパターンを印刷すれば、人間には目視できない不可視のドットパターンとなる。また、カーボンブラックを含有するインクの場合には微小のドットパターンとすることで、視覚困難となる。【００１２】
このように、視覚困難かつ光学読み取り可能にドットパターンを印刷することで、人間には目視できないため、印刷面には必要な文字や絵などのみを印刷することができるという利点がある。【００１３】
前記ドットパターンを印刷するインクとしては、赤外線吸収インク又は紫外線吸収インクが好ましい。ここでいう赤外線吸収インクとは、可視光は吸収せず、赤外線を吸収するインクを指し、紫外線吸収インクとは、可視光は吸収せず、紫外線を吸収するインクを指す。これらインクの例としては、例えば、特許文献２に開示されたインクを使用することができる。また、カーボンブラック含有インクが好適に使用できる。【００１４】
前記外側シートが、薄いプラスチックフィルムをもちいた軟包装材のような透明かつフレキシブルなシートが好ましい。また、必要に応じて、前記ドットパターン印刷面上に白インクで印刷して白インク層を設け、その上にさらに内側シートを設けるようにしてもよい。このようにすれば、例えば食品包装フィルムに適用する場合に、食品に前記内側シートのみが接触するようになるからである。前記内側シートとしては、透明シートが好ましい。また、薄いプラスチックフィルムをもちいた軟包装材のようなフレキシブルなシートが好ましく、透明かつフレキシブルなシートが特に好ましい。前記内側シートとしては、前記外側シートと同様の材質のものが適用できる。【００１５】
前記ドットパターンとしては、微小なドットの形成位置情報を最小単位のコードとしてこれを所定数組み合わせたものとして、特許文献３に記載されたドットパターン技術を適用することができる。グラビア印刷によりドットパターンを印刷することにより、高精細であり、フレキシブルな透明フィルムなどにも印刷することができるという利点がある。【００１６】
また、光学的読み取り手段としては、赤外線又は紫外線に反応する光学的読み取り手段を使用することができ、特許文献４に記載されたドットパターン読取ユニットを使用することができる。【００１７】
前記グラビア印刷に用いられるグラビア版としては、レーザー製版法により作製するのが好ましい。高精細な微小ドットパターンを印刷できるからである。【００１８】
さらに、前記ドットパターン印刷シートが食品を包装するための食品包装フィルムであり、食品の産地情報を前記サーバー装置に予関連付けて蓄積することにより、食品の産地情報が前記情報表示手段で表示されるようにすることもできる。【００１９】
さらに、本発明のドットパターン印刷シートは、前記情報表示システムに用いられるドットパターン印刷シートであって、外側シートと、前記外側シートに視覚困難かつ光学読み取り可能に印刷された座標位置コード情報を有するドットパターンと、を含み、前記ドットパターンが前記外側シートの裏面にグラビア印刷により印刷され、前記ドットパターンが外側シートの表面側から前記光学的読み取り手段で外側シートを介して読み取られるように、ドットパターンの座標系が外側シートの表面側から見た座標系に対して反転して印刷されてなることを特徴とする。
【発明の効果】
【００２０】
本発明によれば、ドットパターンを読み取るだけで簡単に情報を表示させることができ、情報のアップデートが簡単であり、かつ耐久性及び耐摩耗性に優れ印刷面のドットパターンが劣化し難い情報表示システム及びそれに用いられるドットパターン印刷シートを提供することができるという著大な効果を奏する。
【図面の簡単な説明】
【００２１】
【図１】本発明のドットパターン印刷シートを示す斜視図である。
【図２】図１の断面図である。
【図３】本発明の情報表示システムの構成を示すブロック図である。
【図４】本発明の情報表示システムの流れを示すフローチャートである。
【図５】本発明のドットパターン印刷シートに印刷されるドットパターンの一例を示し、図５（ａ）は光学読み取り面側（表面側）から見たドットパターン、図５（ｂ）はドットパターン印刷面（裏面側）からみたドットパターンをそれぞれ示す。
【図６】レーザー製版によるグラビア版の概略説明図である。
【図７】電子彫刻によるグラビア版の概略説明図である。
【図８】光学的読み取り手段の一つの実施の形態を示す概略断面図である。
【図９】実施例１のドットパターンを示し、図９（ａ）は光学読み取り面側（表面側）から見たドットパターン、図９（ｂ）はドットパターン印刷面（裏面側）からみたドットパターンをそれぞれ示す。
【図１０】本発明の情報表示システムを食品の産地情報表示に適用したフローチャートである。
【発明を実施するための形態】
【００２２】
以下に本発明の実施の形態を説明するが、これら実施の形態は例示的に示されるもので、本発明の技術思想から逸脱しない限り種々の変形が可能なことはいうまでもない。
【００２３】
図１において、符号１０はドットパターン印刷シートであり、前記ドットパターン印刷シート１０は、透明かつフレキシブルな外側シート１２と、前記外側シート１２にカーボンブラック含有インクを用いてグラビア印刷により視覚困難かつ光学読み取り可能に印刷された座標位置コード情報を有するドットパターン１４と、前記ドットパターン１４の印刷面上に設けられた白インク層１６と、その上に設けられた透明かつフレキシブルな内側シート１８と、から構成されている。
【００２４】
グラビア印刷に用いられるグラビア版には、２種類の製版方法がある。レーザー製版法と電子彫刻法である。レーザー製版法では、縦横2〜7μmのピッチにグラビアセル３８が形成されたグラビア版４０とすることができるが（図６）、電子彫刻法では、通常175線／インチで規定されたピッチでグラビアセル４２が形成されたグラビア版４４となる（図７）。したがって、前記ドットパターン１４を印刷するには、電子彫刻法によるグラビア版４４よりも、レーザー製版法によるグラビア版４０が適している。本発明の実施形態では、（株）シンク・ラボラトリー製ＦＸ８０を用いたレーザー製版によるグラビア版を用いた。
【００２５】
図示の例では、前記ドットパターン印刷シート１０を食品包装フィルムとして使用した例を示した。図示の例では食品は、内側シート１８に接触する側に位置することとなる。
【００２６】
なお、一般的に、食品包装フィルムの場合には、最外側層である外側シートの裏面に着色層及び白インク層（下地層）を設け、さらに前記外側シートとは別の内側シートをラミネート加工するのがよく行われる。食品等に接触する最内側の層をラミネート加工しておくためである。
【００２７】
座標位置コード情報を有するドットパターン１４としては、微小なドットの形成位置情報を最小単位のコードとしてこれを所定数組み合わせたものとして、特許文献３に記載されたドットパターン技術を適用することができる。
【００２８】
前記ドットパターン１４は、外側シート１２を介して光学的読み取り手段２０によって光学的に読み取られる（図１及び図２）。光学的読み取り手段２０としては、特許文献４に記載されたドットパターン読取ユニットが適用できる。図示の例では、赤外線ＬＥＤを用いた特許文献４に記載のドットパターン読取ユニットを用いた。符号２８は赤外線を示す。なお、ドットパターン１４の印刷に紫外線吸収インクを使用した場合には、紫外線に反応する光学的読み取り手段２０を使用する。
【００２９】
本発明の情報表示システム３０は座標位置コード情報を有するドットパターン１４が視覚困難かつ光学読み取り可能に印刷された外側シート１２と、前記光学的読み取り手段２０によって読み取られた前記座標位置コード情報をサーバー装置２２へと転送するための処理部２４（図示例では情報転送手段を含んでいる）と、前記座標位置コード情報に応じて、予め関連付けられて蓄積されている関連付け情報を出力するサーバー装置２２と、前記サーバー装置２２からの情報を表示するための情報表示手段である情報表示部２６と、を含んでいる。
【００３０】
図示例では、光学的読み取り手段２０は赤外線スキャナーであり、処理部２４はパーソナルコンピュータであり、情報表示部２６はＰＣ用ディスプレイ装置である。
【００３１】
サーバー装置２２は、通信ネットワークであるインターネットに接続されている。サーバー装置２２は、ＷＷＷサーバソフトウエア（ｈｔｔｐデーモンプログラム）が動作するサーバー装置であり、図示しないが、ハードディスク等の記憶媒体やモデム等のネットワーク通信機器その他の必要なハードウェアを備える。インターネットには、クライアント端末である処理部２４として、ノート型ＰＣ、デスクトップ型ＰＣ、携帯電話等が接続され、ウエブ閲覧機能（ＷＷＷブラウザ）により、サーバー装置２２とＴＣＰ／ＩＰプロトコルの通信が可能とされている。なお、クライアント端末である処理部２４としては、ウエブ閲覧機能（ＷＷＷブラウザ）を備えるものであれば、メーカや機種等は特に限定されない。なおまた、サーバー装置２２は１台に限られず、同様の機能を備えるものを複数台用意するようにしてもよい。
【００３２】
そして、前記ドットパターン１４が前記外側シート１２の裏面３４にグラビア印刷により視覚困難かつ光学読み取り可能に印刷され、前記ドットパターン１４が外側シートの表面３２側から前記光学的読み取り手段２０で外側シート１２を介して読み取られるように、ドットパターンの座標系が外側シート１２の表面３２側から見た座標系に対して反転してグラビア印刷により印刷されている。
【００３３】
このように反転させるには、例えば、図５に示すように、ドットパターンの座標系を右手系として印刷し、外側シート１２の表面３２側から見た座標系が左手系となるように印刷することができる。すなわち、互いに鏡像関係となるように印刷すればよい。上述したように所定のコード情報をもたせたドットパターンとしては、微小なドットの形成位置情報を最小単位のコードとしてこれを所定数組み合わせたものとして、特許文献３に記載されたドットパターン技術を適用することができる。
【００３４】
特許文献３に記載されたドットパターン技術としては、図５に示されるように、キードット４６、情報ドット４８、格子ドット５０を所定の規則に従って配列する。所定の規則については特許文献３に記載されているため詳細は省略する。特許文献３では、図５に示すように、キードット４６を中心に５×５の格子ドット５０を配置し、４点の格子ドット５０に囲まれた中心の仮想点の周囲に情報ドット４８を配置して、情報を表すドットパターン１４のブロックとしている。このブロックには任意の数値情報が定義される。そして、ドットパターン１４を光学的読み取り手段２０で読み込み、格子ドットを抽出し、次に本来格子ドットがある位置にドットが打たれていないことによってキードット４６を抽出し、次に情報ドット４８を抽出することによりデジタル化して情報領域を抽出して情報の数値化を図り、その数値情報より、このドットパターン１４から情報及びプログラムを出力させる。
【００３５】
図５（ａ）は光学読み取り面側（外側シートの表面側）から見たドットパターン、図５（ｂ）はドットパターン印刷面（外側シートの裏面側）からみたドットパターンである。
【００３６】
次に、本発明に適用できる光学的読み取り手段２０の例を図８に示す。図８において、光学的読み取り手段２０は、Ｃ−ＭＯＳ（Complementary Metal Oxide Semiconductor）センサー５２と、レンズ５４と、赤外線フィルタ５６と、赤外線ＬＥＤ５８と、から構成されている。符号６０は、枠体である。また、図示は省略するが、光学的読み取り手段２０には、ＵＳＢ（Universal Serial Bus）コネクタが取り付けられており、パーソナルコンピュータ２４に接続して使用される。
【００３７】
次に、本発明に係る情報表示システム３０のフローチャートを図４に基づいて説明する。まず、ドットパターン１４を印刷して前記ドットパターン印刷シート１０を作成する（ステップ１０２）。
【００３８】
次に、前記ドットパターン１４を光学的読み取り手段２０で光学的に読み取る（ステップ１０４）。
【００３９】
次に、前記ドットパターン１４の座標位置コード情報をサーバー装置２２に転送する（ステップ１０６）。
【００４０】
次に、サーバー装置２２は、前記座標位置コード情報に応じて、予め関連付けられて蓄積されている関連付け情報を出力する（ステップ１０８）。
【００４１】
次に、出力された関連付け情報をディスプレイ装置２６に表示する（ステップ１１０）。
【００４２】
このように関連付けられる情報としては種々考えられ、絵本、英会話、旅行の景色、料理のレシピ、食品の産地情報や製品カタログなど、紙媒体に動画や音声による説明を加えたいものであれば如何なるものでも適用できる。したがって、本発明の情報表示システムは、絵本、英会話、旅行の景色、料理のレシピ、食品の産地情報や製品カタログなど、紙媒体に動画や音声による説明を加えたいものであれば如何なるものにでも適用可能である。
【００４３】
本発明では、ドットパターンを読み取るだけで簡単に情報を表示させることができる。また、サーバー装置２２に蓄積しておくファイルに最新情報をアップデートしておけばよいので、アップデートが簡単である。さらに、外側シート１２の裏面側にドットパターン１４を印刷しているので、耐久性及び耐摩耗性に優れる。さらに、ドットパターン１４をグラビア印刷で印刷するので、高精細であり、透明フィルムのようなフレキシブルなシートであってもドットパターン印刷が可能である。
【実施例１】
【００４４】
動画を作成し、動画ファイルとしてMPEG-4形式のファイルで社内のサーバー装置２２に保存した。動画の内容は、冷凍唐揚げチキンの宣伝、賞味期限及び調理方法を紹介した内容であり、約５分の長さであった。【００４５】
光学的読み取り手段２０としては、グリッドマーク株式会社製のＧスキャナーを使用した。概略構造は図８に示したものと同様である。光学的読み取り手段２０は、パーソナルコンピュータにＵＳＢ接続した。【００４６】
シンク・ラボラトリー（株）製のレーザーグラビア製版装置（商品名：全自動レーザーグラビア製版システムＦＸ８０）を用い、レーザー製版を行い、グラビアセルの深さが１３μｍで１辺が３０μｍの正方形としたグラビア製版ロールを作製した。このグラビア製版ロールを用い、印刷速度２００ｍ／ｍｉｎで中島精機エンジニアリング（株）製の印刷機（商品名：ＰＲＯＴＥＣ）で、冷凍唐揚げチキンの食品包装フィルムの外側シート１２の裏面に図９（ｂ）に示すドットパターン６４を印刷し、ドットパターン印刷シート１０とした。ドットパターン印刷シート１０の外側シート１２及び内側シート１８としては、二軸延伸ポリプロピレンのフィルムを使用した。また、酸化チタンを含有する白インクを塗布して白インク層１６とした。図９（ａ）は光学読み取り面側（外側シートの表面側）から見たドットパターン６４であり、図９（ｂ）はドットパターン印刷面（外側シートの裏面側）からみたドットパターン６４をそれぞれ示す。図９（ｂ）に示すドットパターン６４の座標系は、前記外側シート１２の表面側から見た座標系（図９（ａ））に対して反転して印刷されている。すなわち、外側シート１２の裏面側（ドットパターン印刷面）と外側シート１２の表面側とが互いに鏡像関係となるように印刷されている。なお、図９（ａ）のドットパターン６４の格子ドット７０の間隔は、図５（ａ）の格子ドット５０の間隔と同様である。【００４７】
ドットパターン６４としては、図５に示されるように、キードット、情報ドット、格子ドット７０とを所定の規則に従って配列した。格子ドット７０の間隔は図５と同様とした。インキは、市販されているグラビアインキを用いた。具体的には、株式会社ティーアンドケイ東華製の油性表刷りインキ（インキ粘度：１７秒）を使用した。印刷されたドットパターンのドットサイズは１辺が４０μｍの正方形であった。１辺が４０μｍの正方形であるので、視覚困難ではあるが、よく目をこらせば肉眼で観察できた。なお、本実施例では、グラビアセルの深さが１３μｍで１辺が３０μｍの正方形としたグラビア製版ロールを用いたが、上述したように、レーザー製版法では、縦横２〜７μｍのピッチにグラビアセル３８が形成されたグラビア版４０を作製できるので（図６参照）、もっと小さなドットサイズに印刷することも可能である。【００４８】
前記パーソナルコンピュータ２４にはアプリケーションソフトウェアがインストールされており、前記アプリケーションソフトウェアによって前記ドットパターン６４の座標位置コード情報とサーバー装置２２内の動画ファイルとが関連づけられている。【００４９】
そして、ドットパターン６４の印刷された前記食品包装フィルム（ドットパターン印刷シート１０）の表面側（つまり、外側シート１２の表面側）に光学的読み取り手段２０を押し当てて前記ドットパターン６４を光学的に読み取った。パーソナルコンピュータ２４にインストールされたアプリケーションソフトウェアによって前記ドットパターン６４の座標位置コード情報に関連付けられた動画ファイルがパーソナルコンピュータ２４のＰＣ用ディスプレイ装置２６上で再生された。
【実施例２】
【００５０】
次に、本発明の情報表示システムを食品の産地情報表示に適用した実施例を図１０に基づいて説明する。【００５１】
牛肉の産地情報表示に適用した例を示す。まず、牛肉の生産者が自分やその牛肉となった牛などを録画し、音声などを入力した産地情報を電子ファイル化してサーバー装置２２に蓄積した（ステップ２００）。【００５２】
そして、ドットパターン印刷シート１０である食品包装フィルムで牛肉を包装した。食品包装フィルムとしては、実施例１と同様のものを用いた。このとき、内容物表示に係る「牛肉」という文字の横にドットパターン１４をグラビア印刷により実施例１と同様の条件にして印刷した。数値で表現した座標位置コード情報に変換されるように、カーボンブラックを含有させた赤外線吸収インクを用いてドットパターンを印刷し、前記ドットパターン印刷シート１０を作成した（ステップ２０２）。このとき、実施例１と同様に、ドットパターン１４の座標系が前記外側シート１２の表面側から見た座標系に対して反転するように外側シート１２の裏面側に印刷した。このドットパターン印刷シート１０で牛肉を包装した。【００５３】
次に、前記ドットパターン１４を外側シート１２の表面側に光学的読み取り手段２０である赤外線スキャナーを押し当てて光学的に読み取った（ステップ２０４）。この赤外線スキャナー２０はパーソナルコンピュータ２４（処理部）にＵＳＢ（Universal Serial Bus）接続されており、前記ドットパターン１４の座標位置コード情報はパーソナルコンピュータ２４にインストールされたアプリケーションソフトウェアによってサーバー装置２２にインターネット経由で直ちに転送された（ステップ２０６）。つまり、リンク先のサーバー装置２２へとジャンプした。【００５４】
次に、サーバー装置２２は、前記座標位置コード情報に応じて、予め関連付けられて蓄積されている関連付け情報、つまり予め録画しておいた産地情報ファイルを出力した（ステップ２０８）。【００５５】
次に、出力された関連付け情報をディスプレイ装置２６（情報表示手段）に表示した（ステップ２１０）。このようにして、牛肉の生産者が自分やその牛肉となった牛などを録画し音声などを入力した情報が動画表示された。【００５６】
このようにして、牛肉の生産者が自分やその牛肉となった牛などを録画し音声などを入力した情報が動画表示されるので、消費者は安心して購入することができる。【００５７】
また、このように構成すれば、サーバー装置２２の産地情報ファイルを最新情報に逐次アップデートしておけば、ドットパターンを新たに印刷することなく、常に最新の情報が消費者に届くという利点もある。【００５８】
また、グラビア印刷によりドットパターンを印刷することにより、高精細でフレキシブルな透明フィルムなどにも印刷することができるという利点がある。
【産業上の利用可能性】
【００５９】
本発明では、ドットパターンを読み取るだけで簡単に情報を表示させることができ、情報のアップデートが簡単であり、かつ耐久性及び耐摩耗性に優れ印刷面のドットパターンが劣化し難くすることができる。また、食品の種々の産地情報を動画表示させるようにすることもできる。
【符号の説明】
【００６０】
１０：ドットパターン印刷シート、１２：外側シート、１４，６４：ドットパターン、１６：白インク層、１８：内側シート、２０：光学的読み取り手段、２２：サーバー装置、２４：処理部、２６：情報表示手段、２８：赤外線、３０：情報表示システム、３２：表面、３４：裏面、３８，４２：グラビアセル、４０，４４：グラビア版、４６：キードット、４８：情報ドット、５０，７０：格子ドット、５２：Ｃ−ＭＯＳセンサー、５４：レンズ、５６：赤外線フィルタ、５８：赤外線ＬＥＤ、６０：枠体。
【図１】
0005450419.tif 000002
【図２】
0005450419.tif 000003
【図３】
0005450419.tif 000004
【図４】
0005450419.tif 000005
【図５】
0005450419.tif 000006
【図６】
0005450419.tif 000007
【図７】
0005450419.tif 000008
【図８】
0005450419.tif 000009
【図９】
0005450419.tif 000010
【図１０】
0005450419.tif 000011